【事件の表示】
　特許第６６５１７５５号発明「照明システム」の特許異議申立事件について、次のとおり決定する。
【結　論】
　特許第６６５１７５５号の明細書及び特許請求の範囲を訂正請求書に添付された訂正明細書及び特許請求の範囲のとおり、訂正後の請求項〔１〜５〕について訂正することを認める。
　特許第６６５１７５５号の請求項１〜５に係る特許を維持する。
【理　由】
第１　手続の経緯
　特許第６６５１７５５号の請求項１〜５に係る特許についての出願は、平成２７年９月１４日に出願され、令和２年１月２７日にその特許権の設定登録がされ、同年２月１９日に特許掲載公報が発行された。その後、その特許の請求項１〜５について、同年８月１８日に特許異議申立人三木郁子（以下「申立人」という。）により特許異議の申立てがされ、当審は、同年１１月２６日付けで取消理由を通知し、特許権者は、その指定期間内である令和３年２月１日に意見書の提出及び訂正の請求を行い、そして、同年３月２５日付けで申立人に対し訂正請求があった旨の通知（特許法第１２０条の５第５項）をし、同年４月２８日付けで申立人から意見書が提出されたものである。
第２　訂正の適否
１　訂正の内容
　令和３年２月１日付け訂正請求書による訂正の請求は、「特許第６６５１７５５号の明細書、特許請求の範囲を本請求書に添付した訂正明細書、特許請求の範囲のとおり訂正後の請求項１〜５について訂正することを求める。」というものであり、その訂正（以下「本件訂正」という。）の内容は、本件特許の願書に添付した明細書について、訂正請求書に添付した明細書に記載されたとおりに訂正するとともに、本件特許の願書に添付した特許請求の範囲の請求項１〜５について、訂正請求書に添付した訂正特許請求の範囲の請求項１〜５に記載されたとおりに訂正するものである。（下線は、訂正箇所を示すため、当審が付与したものである。）
（１）訂正事項１
　特許請求の範囲の請求項１の
「照明機器を制御する照明制御装置と；
　前記照明制御装置における前記照明機器への操作に基づく操作情報と、前記照明制御装置の設定情報とを保存する外部端末と；
　前記外部端末から前記照明制御装置の設定情報を受信する他の照明制御装置と；
　を具備することを特徴とする照明システム。」
を、
「照明機器を制御する
第１
　前記
第１
第１
であって、当該操作が行われた際における前記照明機器に対する操作を受け付ける操作部と前記照明機器との対応を示す設定
前記第１照明制御装置から受信し
　前記外部端末から前記
第１
第２
　を具備することを特徴とする照明システム。」
に訂正する（請求項１を直接又は間接的に引用する請求項２〜５も同様に訂正する）。
（２）訂正事項２
　特許請求の範囲の請求項３の
「前記照明制御装置は、前記外部端末から取得した前記操作情報に基づいて前記照明機器への操作を再現する
　ことを特徴とする請求項１または請求項２に記載の照明システム。」
を、
「前記
第２
前記操作情報を受信し、受信
と、前記設定情報と
、前記第１照明制御装置による
、当該第２照明制御装置と対応する照明機器に対して
　ことを特徴とする請求項１または請求項２に記載の照明システム。」
に訂正する（請求項３を直接又は間接的に引用する請求項４、５も同様に訂正する）。
（３）訂正事項３
　特許請求の範囲の請求項４の
「前記照明制御装置は、前記操作を行うユーザを認証し、認証後のユーザの前記操作を受け付け、
　前記外部端末は、前記認証後のユーザ毎に前記操作情報を保存する
　ことを特徴とする請求項１〜３のいずれか１項に記載の照明システム。」
を、
「前記
第１
第１照明制御装置が有する操作部への
による
第１照明制御装置が有する操作部への
　前記外部端末は、前記認証後のユーザ毎に前記操作情報を保存する
　ことを特徴とする請求項１〜３のいずれか１項に記載の照明システム。」
に訂正する（請求項４を引用する請求項５も同様に訂正する）。
（４）訂正事項４
　特許請求の範囲の請求項５の
「前記外部端末は、前記認証後のユーザに前記操作情報に基づいて当該ユーザの操作に関する学習し、
　前記照明制御装置は、前記外部端末から前記認証後のユーザに対応する学習結果に関する情報を取得する
　ことを特徴とする請求項４に記載の照明システム。」
を、
「前記外部端末は、前記認証後のユーザに
よる操作の履歴を示す
特徴を
　前記
第２
　ことを特徴とする請求項４に記載の照明システム。」
に訂正する。
（５）訂正事項５
　願書に添付した明細書（以下「本件特許明細書」という。）の段落【０００６】の
「本実施形態の照明システムは、照明制御装置と、外部サーバとを具備する。照明制御装置は、照明機器を制御する。外部サーバは、照明制御装置における照明機器への操作に基づく操作情報を保存する。」
を、
「本実施形態の照明システムは、
第１
、第２照明制御装置と
第１
と、第１照明制御装置の設定であって、当該操作が行われた際における照明器に対する操作を受け付ける操作部と照明機器との対応を示す設定情報とを第１照明制御装置から受信し
第２照明制御装置は、外部端末から第１照明制御装置の設定情報を受信する。
に訂正する。
　なお、訂正事項１〜５は、訂正前に引用関係にある請求項１〜５に対して請求されたものであるから、本件訂正請求は、特許法第１２０条の５第４項に規定する一群の請求項ごとに請求されたものである。
２　訂正の目的の適否、新規事項の有無、特許請求の範囲の拡張・変更の存否
（１）訂正事項１について
　訂正事項１に係る請求項１についての訂正における、訂正前の「照明制御装置」、「他の照明制御装置」をそれぞれ「第１照明制御装置」、「第２照明制御装置」とする訂正は、後述する訂正事項２における、訂正前の「前記照明制御装置」がいずれの「照明制御装置」を示すのか不明確であったのを「前記第１照明制御装置」として対応関係を明確とする訂正に整合させるものであるから、明瞭でない記載の釈明を目的とするものであり、新規事項の追加に該当せず、実質上特許請求の範囲を拡張し、又は変更するものでもない。
　また、訂正前の「前記照明制御装置の設定情報」を「前記第１照明制御装置の設定であって、当該操作が行われた際における前記照明機器に対する操作を受け付ける操作部と前記照明機器との対応を示す設定情報」とする訂正については、本件特許明細書の段落【００２９】の「操作対象となったフェーダやサブマスタ（ＳＭ）等」や「サブマスタフェーダ」との記載から、訂正前の「照明制御装置」は、照明機器に対する操作を受け付ける操作部といえるものを有していることは自明であり、さらに、同段落の「照明制御装置３０は、シーンやキュー（ＣＵＥ）やサブマスタ（ＳＭ）等を操作した際に複数の照明機器を制御するための調光情報と、フェーダ等の操作対象を示す情報とともにクラウドサーバ７０へ送信してもよい。」との記載から、「設定情報」に関し、照明機器への操作が行われた際における照明機器に対する操作部と照明機器との対応を示す設定情報であることは自明であって、当該訂正は、訂正前の「前記照明制御装置の設定情報」を具体的に限定するものであるから特許請求の範囲の減縮を目的とするものであり、新規事項の追加に該当せず、実質上特許請求の範囲を拡張し、又は変更するものでもない。
　したがって、訂正事項１は、特許法第１２０条の５第２項ただし書第１号に規定する特許請求の範囲の減縮を目的とするもの、及び、同項ただし書第３号に規定する明瞭でない記載の釈明を目的とするものに該当する。そして、新規事項の追加に該当せず、また、実質上特許請求の範囲を拡張し、又は変更するものでもないから、特許法第１２０条の５第９項で準用する同法第１２６条第５項及び第６項の規定に適合する。
（２）訂正事項２について
　訂正事項２に係る請求項３についての訂正における、訂正前の「前記照明制御装置」を「第１照明制御装置」とする訂正は、訂正事項１による請求項１の訂正に整合させ、かつ、請求項１に記載される２つの「照明制御装置」のうちの「第１照明制御装置」であることを特定するものであるから、明瞭でない記載の釈明を目的とするものであり、新規事項の追加に該当せず、実質上特許請求の範囲を拡張し、又は変更するものでもない。
　また、訂正前の「前記外部端末から取得した前記操作情報に基づいて前記照明機器への操作を再現する」を「前記外部端末から前記操作情報を受信し、受信した前記操作情報と、前記設定情報とに基づいて、前記第１照明制御装置による前記照明機器への操作を、当該第２照明制御装置と対応する照明機器に対して再現する」とする訂正は、本件特許明細書の段落【００３２】の「照明制御装置３０から履歴情報の要求を受け付けたクラウドサーバ７０は、要求に対応する履歴情報を抽出する」、同【００３３】の「クラウドサーバ７０から送信された履歴情報を照明制御装置３０が受信した後、操作者ＯＰ１は、照明制御装置３０において操作を再現する（ステップＳ２４）。なお、ここでいう、操作の再現とは、受信した履歴情報を参照しつつ操作者ＯＰ１が操作部３４を操作することにより行われてもよいし、受信した履歴情報に基づいて照明制御装置３０が自動で行ってもよい。」、同【００６９】の「照明システム１Ａにおいて、所定の操作者ＯＰ１が照明制御装置３０Ａ−１において行った操作に関する操作情報を、他の照明制御装置３０Ａ−３において利用する例を示す。」、同【００８０】の「照明制御装置３０Ａ−３から操作情報（履歴情報）の要求を受け付けたクラウドサーバ７０Ａは、要求に対応する操作情報（履歴情報）を抽出する（ステップＳ３７）。例えば、クラウドサーバ７０Ａは、ステップＳ３３で保存した操作情報ＬＧ１１を、照明制御装置３０Ａ−３からの要求に対応する操作情報（履歴情報）として抽出する。その後、クラウドサーバ７０Ａは、ステップＳ３７において抽出した履歴情報を照明制御装置３０Ａ−３へ送信する（ステップＳ３８）。」、同【００８１】の「クラウドサーバ７０Ａから送信された操作情報ＬＧ１１を照明制御装置３０Ａ−３が受信した後、操作者ＯＰ１は、照明制御装置３０Ａ−３において操作を再現する（ステップＳ３９）。」との記載から、「再現する」ことに関し、外部端末から操作情報を受信し、受信した操作情報と、設定情報とに基づいて、第１照明制御装置による照明機器への操作を、第２照明制御装置と対応する照明機器に対して再現するものであることは自明のことであって、当該訂正は、「再現する」ことの対象機器を具体的に特定し、また、「再現する」「操作」が基づく情報を特定し、さらに限定するものであるから、特許請求の範囲の減縮及び明瞭でない記載の釈明を目的とするものであり、新規事項の追加に該当せず、実質上特許請求の範囲を拡張し、又は変更するものでもない。
　したがって、訂正事項２は、 特許法第１２０条の５第２項ただし書第１号に規定する特許請求の範囲の減縮を目的とするもの、及び、同項ただし書第３号に規定する明瞭でない記載の釈明を目的とするものに該当する。そして、新規事項の追加に該当せず、また、実質上特許請求の範囲を拡張し、又は変更するものでもないから、特許法第１２０条の５第９項で準用する同法第１２６条第５項及び第６項の規定に適合する。
（３）訂正事項３について
　訂正事項３に係る請求項４についての訂正における、訂正前の「前記照明制御装置」を「前記第１照明制御装置」とする訂正は、訂正事項１による請求項１の訂正に整合させ、かつ、請求項１に記載される２つの「照明制御装置」のうちの「第１照明制御装置」であることを特定するものであるから、明瞭でない記載の釈明を目的とするものであり、新規事項の追加に該当せず、実質上特許請求の範囲を拡張し、又は変更するものでもない。
　また、訂正前の「前記操作」を「前記第１照明制御装置が有する操作部への操作」とし、訂正前の「認証後のユーザの操作部への前記操作」を「認証後のユーザによる前記第１照明制御装置が有する操作部への操作」とする訂正は、本件特許明細書の段落【００７４】の「まず、操作者ＯＰ１は、照明制御装置３０Ａ−１において操作者に関する認証（以下、「操作者認証」とする場合がある）を受ける（ステップＳ３１）。」、同【００７８】の「そして、操作者ＯＰ１は、照明制御装置３０Ａ−３において操作者認証を受ける（ステップＳ３５）。これにより、照明制御装置３０Ａ−３は、入力される操作を操作者ＯＰ１の操作として受け付ける。」との記載から、「操作を行う」ことについて、第１照明制御装置が有する操作部への操作であること、及び、「操作を受け付ける」ことについて、認証後のユーザによる第１照明制御装置が有する操作部への操作を受け付けるものであることは自明のことであって、当該訂正は、「操作を行う」ことの対象、及び、「操作を受け付ける」ことの対象を特定し、さらに限定するものであるから、特許請求の範囲の減縮及び明瞭でない記載の釈明を目的とするものであり、新規事項の追加に該当せず、実質上特許請求の範囲を拡張し、又は変更するものでもない。
　したがって、訂正事項３は、 特許法第１２０条の５第２項ただし書第１号に規定する特許請求の範囲の減縮を目的とするもの、及び、同項ただし書第３号に規定する明瞭でない記載の釈明を目的とするものに該当する。そして、新規事項の追加に該当せず、また、実質上特許請求の範囲を拡張し、又は変更するものでもないから、特許法第１２０条の５第９項で準用する同法第１２６条第５項及び第６項の規定に適合する。
（４）訂正事項４について
　訂正事項４に係る請求項５についての訂正における、訂正前の「前記照明制御装置」を「前記第２照明制御装置」とする訂正は、訂正事項１による請求項１の訂正に整合させ、かつ、請求項１に記載される２つの「照明制御装置」のうちの「第１照明制御装置」であることを特定するものであるから、明瞭でない記載の釈明を目的とするものであり、新規事項の追加に該当せず、実質上特許請求の範囲を拡張し、又は変更するものでもない。
　また、訂正前の「前記認証後のユーザに前記操作情報に基づいて当該ユーザの操作に関する学習し」を「前記認証後のユーザによる操作の履歴を示す操作情報に基づいて当該ユーザの操作に関する特徴を学習し」とする訂正は、本件特許明細書の段落【００８５】の「また、クラウドサーバ７０Ａは、操作情報と操作を行った操作者とを対応付けに基づいて、認証後のユーザに操作情報に基づいてユーザの操作に関する学習を行ってもよい。例えば、クラウドサーバ７０Ａは、認証後のユーザに操作情報に基づいて、ユーザの操作に適した操作部３４への制御アドレス等の割当に関する学習を行ってもよい。また、各照明制御装置３０Ａは、クラウドサーバ７０Ａから認証後のユーザに対応する学習結果に関する情報を取得してもよい。これにより、各照明制御装置３０Ａは、クラウドサーバ７０Ａにおける学習結果に基づいて、ユーザに適した設定を行うことが可能となる。」との記載より、「ユーザの操作に関する学習」に係る「操作情報」について、認証後のユーザによる操作の履歴を示す操作情報であることは自明のことであって、当該訂正は、「ユーザの操作に関する学習」に係る「操作情報」を限定するものであるから、特許請求の範囲の減縮を目的とするものであり、新規事項の追加に該当せず、実質上特許請求の範囲を拡張し、又は変更するものでもない。
　したがって、訂正事項４は、 特許法第１２０条の５第２項ただし書第１号に規定する特許請求の範囲の減縮を目的とするものに該当する。そして、新規事項の追加に該当せず、また、実質上特許請求の範囲を拡張し、又は変更するものでもないから、特許法第１２０条の５第９項で準用する同法第１２６条第５項及び第６項の規定に適合する。
（５）訂正事項５について
　訂正事項５に係る本件特許明細書の段落【０００６】についての訂正は、訂正事項１による請求項１の訂正に伴い、当該訂正の内容に段落【０００６】の記載を整合させるものであるから、明瞭でない記載の釈明を目的とするものであり、新規事項の追加に該当せず、実質上特許請求の範囲を拡張し、又は変更するものでもない。
　したがって、訂正事項５は、 特許法第１２０条の５第２項ただし書第３号に規定する明瞭でない記載の釈明を目的とするものに該当する。そして、新規事項の追加に該当せず、また、実質上特許請求の範囲を拡張し、又は変更するものでもないから、特許法第１２０条の５第９項で準用する同法第１２６条第５項及び第６項の規定に適合する。
３　小括
　上記のとおり、本件訂正の訂正事項１〜５は、特許法第１２０条の５第２項ただし書第１号又は第３号に掲げる事項を目的とするものであり、かつ、同条第９項で準用する同法第１２６条第５項及び第６項の規定に適合する。
　したがって、特許請求の範囲を、訂正請求書に添付した訂正特許請求の範囲のとおり、訂正後の請求項〔１〜５〕について訂正することを認め、本件特許明細書を、訂正請求書に添付された訂正明細書のとおり、訂正後の段落【０００６】について訂正することを認める。
第３　本件発明
　上記「第２」のとおり、本件訂正が認められたから、本件特許の願書に添付した特許請求の範囲の請求項１〜５に係る発明（以下「本件発明１〜５」という。）は、訂正特許請求の範囲の請求項１〜５に記載された事項により特定される、次のとおりのものである。
「【請求項１】
　照明機器を制御する第１照明制御装置と；
　前記第１照明制御装置における前記照明機器への操作に基づく操作情報と、前記第１照明制御装置の設定であって、当該操作が行われた際における前記照明機器に対する操作を受け付ける操作部と前記照明機器との対応を示す設定情報とを前記第１照明制御装置から受信し保存する外部端末と；
　前記外部端末から前記第１照明制御装置の設定情報を受信する第２照明制御装置と；
　を具備することを特徴とする照明システム。
【請求項２】
　前記外部端末は、前記操作情報として、段階的な前記照明機器の状態の制御において操作される操作部への操作に関する情報を保存する
　ことを特徴とする請求項１に記載の照明システム。
【請求項３】
　前記第２照明制御装置は、前記外部端末から前記操作情報を受信し、受信した前記操作情報と、前記設定情報とに基づいて、前記第１照明制御装置による前記照明機器への操作を、当該第２照明制御装置と対応する照明機器に対して再現する
　ことを特徴とする請求項１または請求項２に記載の照明システム。
【請求項４】
　前記第１照明制御装置は、前記第１照明制御装置が有する操作部への操作を行うユーザを認証し、認証後のユーザによる前記第１照明制御装置が有する操作部への操作を受け付け、
　前記外部端末は、前記認証後のユーザ毎に前記操作情報を保存する
　ことを特徴とする請求項１〜３のいずれか１項に記載の照明システム。
【請求項５】
　前記外部端末は、前記認証後のユーザによる操作の履歴を示す操作情報に基づいて当該ユーザの操作に関する特徴を学習し、前記第２照明制御装置は、前記外部端末から前記認証後のユーザに対応する学習結果に関する情報を取得する
　ことを特徴とする請求項４に記載の照明システム。」
第４　取消理由の概要
　訂正前の請求項１〜５に係る特許に対して、当審が令和２年１１月２６日付け取消理由通知書で特許権者に通知した取消理由の要旨は、次のとおりである。
理由１：本件の請求項１〜５に係る発明は、本件特許出願前に日本国内又は外国において、頒布された下記の刊行物に記載された発明又は電気通信回線を通じて公衆に利用可能となった発明に基いて、本件特許出願前にその発明の属する技術の分野における通常の知識を有する者が容易に発明をすることができたものであるから、請求項１〜５に係る特許は、特許法第２９条第２項の規定に違反してされたものであり、同法第１１３条第２号に該当し、取り消されるべきものである。
理由２：本件の請求項３〜５に係る特許は、下記の点で、特許法第３６条第６項第２号に規定する要件を満たしていない特許出願に対してされたものであり、同法第１１３条第２号に該当し、取り消されるべきものである。
　　　　　　　　　　　　　　　　記
理由１について
 刊行物等一覧
　甲第１号証：特開２０００−３１１７８８号公報
　甲第２号証：特開２０１３−１８７１８０号公報
　甲第３号証：特開２０１０−２３８５７２号公報
（それぞれ、申立人が提出した甲第１〜３号証であり、以下「甲１〜３」という。）
理由２について
　請求項３は「請求項１または請求項２」を引用するものであるところ、「前記照明制御装置は、・・・・前記照明機器への操作を再現する」との記載があるが、「前記照明制御装置」及び「前記照明機器」が、何を特定しようとしているのか明らかでないため、請求項３に係る発明がどこまでを含むのか特定できず、明確でない。
　請求項４、５にも「前記照明制御装置」との記載があるが、上記と同様の理由により、請求項４、５に係る発明がどこまでを含むのか特定できず、明確でない。
第５　当審の判断
第５−１　理由１について（特許法第２９条第２項）
１　引用文献の記載事項等
（１）甲１
ア　記載事項
　甲１には次の事項が記載されている（なお、下線は当審で付加した。以下同様。）。
（１ａ）「【請求項１】 
照明負荷を調光する調光器と；前記照明負荷の明るさを調光制御するための調光制御レベルを調光データとして設定すると共に前記調光器の制御および前記調光器や照明負荷の状態監視を行う調光卓と；前記調光卓や前記調光器の制御操作および前記調光卓が検出し記憶している前記調光器や前記調光卓の状態情報の監視を行うためのクライアントＰＣと；前記クライアントＰＣからの制御情報を前記調光卓に伝えると共に前記調光卓からの状態情報を前記クライアントＰＣへ伝えるサーバーと；前記サーバーと前記クライアントＰＣとの間の情報伝達を行うネットワークと；を備えたことを特徴とする調光システム。
（１ｂ）「【００１４】また、調光卓は、予め照明負荷の明るさを調光制御するための調光データをシーン毎に作成する。そして、照明演出時には、その作成したシーンを読み出され、シーンに設定された調光データにより照明負荷を制御しシ一ンを再生する。これにより、舞台やスタジオさらにはホール等の照明演出を行う。また、調光卓には、必要に応じて表示モニタが設置され、照明負荷や調光器の状態情報、さらには調光卓の状態情報を表示する。」
（１ｃ）「【００２７】
【発明の実施の形態】以下、本発明の実施の形態を説明する。図１は本発明の第１の実施の形態に係わる調光システムの構成図である。
【００２８】複数個の各々の照明負荷１には調光器２がそれぞれ設けられ、この
調光器２により照明負荷１は
調光制御が行われる。調光卓３は、各々の調光器２の制御および各々の調光器２や照明負荷１の状態監視を行うものであり、その制御情報や監視情報を記憶している。
【００２９】また、
調光卓３では、予め照明負荷１の調光制御のための調光データを設定したシーンが作成され、その作成されたシーンも記憶し
【００３０】そして、この調光卓３には、例えばＲＳ２３２Ｃ等を用いてサーバー４が接続され、サーバー４はクライアントＰＣ５が接続されたネットワーク６に接続されている。ネットワーク６は例えばインターネットやイントラネット等の汎用のネットワークである。サーバー４はクライアントＰＣ５からの制御情報を調光卓に伝える機能、および調光卓３からの状態情報をクライアントＰＣ５へ伝える機能を持つ。これにより、クライアントＰＣ５はネットワーク６を介してサーバー４と情報伝達できることになる。
【００３１】
クライアントＰＣ５は、ネットワーク６およびサーバー４を介して調光卓３や調光器２に制御信号を出力し調光卓や調光器２への制御操作を行う。
（１ｄ）「【００４８】次に、本発明の第３の実施の形態を説明する。図５は、本発明の第３の実施の形態に係わる調光システムの構成図である。この第５の実施の形態は、図１に示した第１の実施の形態に対し、
調光卓３で作成した調光データをサーバー４へ送信する送信手段７と、サーバー４に記憶された調光データをダウンロードする受信手段８とを調光卓３に設けたものである。
【００４９】図５において、
調光卓３では、予め照明負荷１の調光制御のための調光データを設定したシーンが作成されるが、その作成された調光データはその調光卓３に記憶されると共に、送信手段７によりサーバー４に送信される。サーバー４では各々の調光卓３から送信されてきた調光データをシーン毎に保存する。そして、他の調光卓３で既に作成済のシーンを、自己の調光卓３で使用するには、受信手段８によりサーバー４に記憶されたシーンの調光データをダウンロードして読み出す。
【００５０】このように、調光卓３には、作成した照明演出のためのシーンの調光データをサーバー４へ送信する送信手段７と、サーバー４からのそのシーンの調光データを受信する受信手段８とを設ける。サーバー４は各々の調光卓３からの照明演出の調光データを受信して記憶し、
読み出し要求のあったシーンの調光データを要求のあった調光卓３へ送信する。
（１ｅ）【図１】は次のとおりである。
（１ｆ）【図５】は次のとおりである。
イ　甲１発明
　上記アより、甲１には、特に「第３の実施の形態」に対応する次の発明（以下「甲１発明」という。）が記載されているものと認める。
 「照明負荷１を調光する調光器２と、
　前記照明負荷１の明るさを調光制御するための調光制御レベルを調光データとして設定すると共に前記調光器２の制御および前記調光器２や照明負荷１の状態監視を行う調光卓３と、
　前記調光卓３や前記調光器２の制御操作および前記調光卓３が検出し記憶している前記調光器２や前記調光卓３の状態情報の監視を行うためのクライアントＰＣ５と、
　前記クライアントＰＣ５からの制御情報を前記調光卓３に伝えると共に前記調光卓３からの状態情報を前記クライアントＰＣ５へ伝えるサーバー４と、
　前記サーバー４と前記クライアントＰＣ５との間の情報伝達を行うネットワーク６と、
を備えた調光システムであって、
　調光卓３で作成した調光データをサーバー４へ送信する送信手段７と、サーバー４に記憶された調光データをダウンロードする受信手段８とを調光卓３に設け、
　調光卓３では、予め照明負荷１の調光制御のための調光データを設定したシーンが作成され、その作成された調光データはその調光卓３に記憶されると共に、送信手段７によりサーバー４に送信され、
　サーバー４では各々の調光卓３から送信されてきた調光データをシーン毎に保存し、
　読み出し要求のあったシーンの調光データを要求のあった調光卓３へ送信し、
　他の調光卓３で既に作成済のシーンを、自己の調光卓３で使用するには、受信手段８によりサーバー４に記憶されたシーンの調光データをダウンロードして読み出す、調光システム。」
（２）甲２
ア　記載事項
　甲２には次の事項が記載されている。
（２ａ）「【発明が解決しようとする課題】
【０００７】
　しかしながら、従来の回路制御卓は、調光操作卓の制御装置の入力端末として機能しているため、調光操作卓側に不具合があると、回路制御卓も使用できなくなってしまう。
【０００８】
　しかも、調光操作卓の制御部が割付情報を記憶しているため、調光操作卓側に不具合があって割付情報が消えてしまったり、別の調光操作卓を持ち込んで使用する場合には、再度、最初から割付作業をしなければならず、手間と時間がかかり、スタジオの運用に影響する問題がある。
【０００９】
　本発明が解決しようとする課題は、調光操作卓側に不具合が生じても、再度、割付作業をする手間と時間を省き、スタジオの運用への影響を少なくできる回路制御卓、およびこの回路制御卓を用いたスタジオ照明システムを提供することである。」
（２ｂ）「【００１７】
　また、
調光操作卓13は、調光操作卓本体21、およびこの調光操作卓本体21内に配置されている調光操作制御部22を有している。
【００１８】
　
調光操作卓本体21には、照明負荷11の調光レベルを調整するための複数のフェーダ23を含む複数の操作部24が設けられている。
【００１９】
　
調光操作制御部22は、回路制御卓14から各フェーダ23に対応して複数の照明負荷11が割り付けられている割付情報を取得し、記憶している。
調光操作制御部22は、各フェーダ23が操作されることにより、割付情報に基づいて各フェーダ23に割り付けられている複数の照明負荷11の調光レベルを可変する調光信号を対応する調光器12に対して出力する。
（２ｃ）「【００２０】
　また、
回路制御卓14は、
割付制御部32を有している。
【００２５】
　そして、
割付制御部32は、調光操作卓13の各フェーダ23に対応して
照明負荷11を割り付け、各フェーダ23に割り付けた割付情報
を割付制御部32が有する記憶部に記憶するとともにネットワーク15を通じて他の機器へ出力する。
【００２６】
　さらに、
割付制御部32は、割付情報を割り付けた調光操作卓13とは異なる別の調光操作卓に対し、記憶している割付情報をその別の調光操作卓に適用する機能を有している
【００２７】
　さらに、割付制御部32は、照明負荷11の調光レベルに関する情報を取得し、この照明負荷11の調光レベルに関する情報をモニタ31の対応する選択部35に表示させる機能や、調光操作卓13および調光器12から各種情報を取得し、その情報を表示したり、異常がある場合にアラーム表示を表示したり、あるいは伝言情報を表示させる機能を有している。」
（２ｄ）【図１】は次のとおりである。
イ　甲２技術
　上記アより、甲２には次の技術的事項（以下「甲２技術」という。）が記載されているものと認める。
 「調光操作卓13は、調光操作卓本体21、およびこの調光操作卓本体21内に配置されている調光操作制御部22を有し、
　調光操作卓13の調光操作卓本体21には、照明負荷11の調光レベルを調整するための複数のフェーダ23を含む複数の操作部24が設けられ、
　調光操作制御部22は、回路制御卓14から各フェーダ23に対応して複数の照明負荷11が割り付けられている割付情報を取得し、記憶し、各フェーダ23が操作されることにより、割付情報に基づいて各フェーダ23に割り付けられている複数の照明負荷11の調光レベルを可変する調光信号を対応する調光器12に対して出力し、
　回路制御卓14は、割付制御部32を有しており、割付制御部32は、調光操作卓13の各フェーダ23に対応して照明負荷11を割り付け、各フェーダ23に割り付けた割付情報を割付制御部32が有する記憶部に記憶するとともにネットワーク15を通じて他の機器へ出力するものであり、割付制御部32は、割付情報を割り付けた調光操作卓13とは異なる別の調光操作卓に対し、記憶している割付情報をその別の調光操作卓に適用する機能を有している」技術。
（３）甲３
ア　記載事項
　甲３には次の事項が記載されている。
（３ａ）「【００４７】
　
利用者用端末１６は、インターネット１２を介して制御サーバ１１にアクセス可能であり、データベース２９に蓄積されているＬＥＤ照明管１０の履歴情報などを参照できるとともに、制御サーバ１１に対してＬＥＤ照明管１０に対する調光指示を送信することもできる。
（３ｂ）「【００６２】
　また、利用者用端末１６からも、ＬＥＤ２６の調光制御をローカルに行うことができる。
アプリケーションサーバ２８によってインターネット１２上に提供されているページに利用者用端末１６からログインし
「調光設定」を選択する
利用者が、この画面で調光設定を行うと、その設定に応じた調光指示情報３７が制御サーバ１１に送信される。
【００６３】
　制御サーバ１１は、利用者用端末１６から調光指示情報３７を受信すると、その指示内容に応じた調光制御情報３１を作成し、指示されたＬＥＤ照明管１０に送信する。ＬＥＤ照明管１０の制御部２０は、その調光制御情報３１にしたがってＬＥＤ２６の発光を調光することにより、利用者が利用者用端末１６に設定したローカルの設定にしたがった調光制御が実現される。
【００６４】
　また、
制御サーバ１１は、利用者用端末１６から調光指示情報３７を受信したときには、その指示内容にしたがった調光制御情報３１の内容を履歴情報としてデータベース２９に記録する。
【００６５】
　したがって、その後、
利用者用端末１６から入力された調光指示情報３７の内容も反映して調光の制御が行われるようになる。
利用者からローカルの調光制御が行われたという状況を学習して、その結果を反映した制御が行われる。
【００６６】
　また、利用者は、利用者用端末１６から、データベース２９に蓄積されている履歴情報や管理情報を参照することもできる。アプリケーションサーバ２８によってインターネット１２上に提供されているページに利用者用端末１６からログインし、図３（ｂ）に示す画面で「エコモニター」を選択すると、図３（ｄ）のような画面が表示される。さらに図３（ｄ）において、所望のグラフを選択すると、図３（ｅ）のように選択したグラフが拡大表示される。」
（３ｃ）【図３】は次のとおりである。
イ　認定事項
　上記記載事項（３ｃ）の【図３】（ａ）の「ユーザーログイン」画面に「ＩＤ」、「ＰＳＷ」と記載されており、それぞれ利用者のＩＤ、パスワードを示し、それらを入力して利用者を認証してログインすることは技術的に明らかである。そして、同【図３】（ｂ）の「ユーザーＴＯＰページ」画面は、認証後の利用者の操作を受け付けることが技術的に明らかである。
ウ　甲３技術
　上記ア、イより、甲３には次の技術的事項（以下「甲３技術」という。）が記載されているものと認める。
 「利用者用端末１６は、インターネット１２を介して制御サーバ１１にアクセス可能であり、データベース２９に蓄積されているＬＥＤ照明管１０の履歴情報などを参照できるとともに、制御サーバ１１に対してＬＥＤ照明管１０に対する調光指示を送信することができ、
　アプリケーションサーバ２８によってインターネット１２上に提供されているページに利用者用端末１６の『ユーザーログイン』画面にＩＤ、パスワードを入力し、利用者を認証してログインし、
　認証後の利用者の操作を受け付ける『ユーザーＴＯＰページ』画面から、『調光設定』を選択し、利用者が、この画面で調光設定を行うと、その設定に応じた調光指示情報３７が制御サーバ１１に送信され、
　制御サーバ１１は、利用者用端末１６から調光指示情報３７を受信したときには、その指示内容にしたがった調光制御情報３１の内容を履歴情報としてデータベース２９に記録し、
　利用者用端末１６から入力された調光指示情報３７の内容も反映し、利用者からローカルの調光制御が行われたという状況を学習して、その結果を反映した調光の制御が行われるようになる」技術。
２　対比・判断
（１）本件発明１について
ア　対比
　本件発明１と甲１発明とを対比する。
（ア）後者の「照明負荷１」は前者の「照明機器」に相当し、同様に、「調光卓３」及び「自己の調光卓３」は「第１照明制御装置」に、「他の調光卓３」は「第２照明制御装置」に、「調光システム」は「照明システム」にそれぞれ相当する。
（イ）本件発明１の「外部端末」は、具体的には、本件特許明細書の段落【０００９】に記載される「外部サーバ」のことであるから、後者の「サーバー４」と、前者の「外部端末」とは「端末」である点において共通するといえる。
（ウ）上記（ア）、（イ）を踏まえると、後者の
 「照明負荷１を調光する調光器２と、
　前記照明負荷１の明るさを調光制御するための調光制御レベルを調光データとして設定すると共に前記調光器２の制御および前記調光器２や照明負荷１の状態監視を行う調光卓３と」「を備える」
ということは、前者の
 「照明機器を制御する第１照明制御装置と」「を具備する」
ということに相当するといえる。
（エ）前者の「前記第１照明制御装置における前記照明機器への操作に基づく操作情報と、前記第１照明制御装置の設定であって、当該操作が行われた際における前記照明機器に対する操作を受け付ける操作部と前記照明機器との対応を示す設定情報とを前記第１照明制御装置から受信し保存する外部端末と」「を具備する」という事項について、「操作情報」も「設定情報」も「照明機器の照明に係る情報」といえるものである。
　そして、後者の
 「前記調光卓３や前記調光器２の制御操作および前記調光卓３が検出し記憶している前記調光器２や前記調光卓３の状態情報の監視を行うためのクライアントＰＣ５と、
　前記クライアントＰＣ５からの制御情報を前記調光卓３に伝えると共に前記調光卓３からの状態情報を前記クライアントＰＣ５へ伝えるサーバー４と、
　前記サーバー４と前記クライアントＰＣ５との間の情報伝達を行うネットワーク６と、
を備え」、
 「調光卓３で作成した調光データをサーバー４へ送信する送信手段７と、サーバー４に記憶された調光データをダウンロードする受信手段８とを調光卓３に設け、
　調光卓３では、予め照明負荷１の調光制御のための調光データを設定したシーンが作成され、その作成された調光データはその調光卓３に記憶されると共に、送信手段７によりサーバー４に送信され、
　サーバー４では各々の調光卓３から送信されてきた調光データをシーン毎に保存」
するという事項における、「照明負荷１の調光制御のための調光データ」も、「照明負荷１の照明に係る情報」といえるものである。また、「サーバー４では各々の調光卓３から送信されてきた調光データをシーン毎に保存」するということは、「サーバー４」は当該調光データを受信し保存していることは明らかである。
　そうすると、上記（ア）、（イ）も踏まえると、後者の上記事項と、前者の上記事項とは、
「前記第１照明制御装置における前記照明機器の照明に係る情報を前記第１照明制御装置から受信し保存する端末と」「を具備する」
ことにおいて共通するといえる。
（オ）後者の
 「読み出し要求のあったシーンの調光データを要求のあった調光卓３へ送信し、
　他の調光卓３で既に作成済のシーンを、自己の調光卓３で使用するには、受信手段８によりサーバー４に記憶されたシーンの調光データをダウンロードして読み出す」
ということについて検討すると、「自己の調光卓３」も「他の調光卓３」もそれぞれが作成した「調光データ」を相互に利用できるものであるから、当然、
「読み出し要求のあったシーンの調光データを要求のあった調光卓３へ送信し、
　自己の調光卓３で既に作成済のシーンを、他の調光卓３で使用するには、受信手段８によりサーバー４に記憶されたシーンの調光データをダウンロードして読み出す」
という事項も実質的に有しているものである。
　そうすると、上記（ア）〜（エ）を踏まえると、後者の上記事項と、前者の
 「前記外部端末から前記第１照明制御装置の設定情報を受信する第２照明制御装置と」「を具備する」
こととは、
 「前記端末から前記第１照明制御装置の照明機器の照明に係る情報を受信する第２照明制御装置と」「を具備する」
ことにおいて共通するといえる。
（カ）以上のことより、本件発明１と甲１発明との一致点、相違点は次のとおりと認める。
〔一致点〕
 「照明機器を制御する第１照明制御装置と；
　前記第１照明制御装置における前記照明機器の照明に係る情報を前記第１照明制御装置から受信し保存する端末と；
　前記端末から前記第１照明制御装置の照明機器の照明に係る情報を受信する第２照明制御装置と；
　を具備する照明システム。」
〔相違点１〕
 「端末」に関し、本件発明１は、「外部端末」であるのに対し、甲１発明は、「サーバー４」（端末）が外部サーバー（すなわち外部端末）であることの特定がない点。
〔相違点２〕
「照明機器の照明に係る情報」に関し、本件発明１は、「外部端末」が保存する情報が、「前記照明機器への操作に基づく操作情報」と「前記第１照明制御装置の設定であって、当該操作が行われた際における前記照明機器に対する操作を受け付ける操作部と前記照明機器との対応を示す設定情報」であり、「第２照明制御装置」が受信する情報が、「設定情報」であるのに対し、甲１発明は、「サーバー４」（端末）が保存する情報は、「調光データ」であって、照明負荷１（照明機器）への操作に基づく操作情報と、調光卓３（第１照明制御装置）の設定であって、当該操作が行われた際における照明負荷１（照明機器）に対する操作を受け付ける操作部と照明負荷１（照明機器）との対応を示す設定情報であるのか明らかでなく、「他の調光卓３」（第２照明制御装置）がダウンロードして読み出す「調光データ」（上記（オ）参照。）が設定情報であるのかも明らかでない点。
イ　判断
　上記相違点について以下検討する。
（ア）相違点１について
　情報を保存するサーバーを内部に持つか、あるいは、外部に持つかについては、当業者であれば所望により適宜選択し得たことであり、甲１発明の「サーバー４」（端末）を外部に持たせるようにして、上記相違点１に係る本件発明１の事項を有するものとすることは、当業者にとって容易に想到し得たことである。
（イ）相違点２について
ａ　甲１発明における「調光データ」については、「調光卓３」において「調光データを設定したシーン」が作成されるものであるが、具体的にどのような手段により作成されるのか特定がない。
　そして、「調光データを設定したシーン」は、操作部の操作によらずとも、例えばプログラミングをすること等により作成可能なものであり、特に甲１発明において「
予め
　そうすると、調光卓は照明機器を操作するための操作部を有していることは技術常識であり、甲１発明の「調光卓３」においても「操作部」を有していることは自明といえたとしても、甲１発明が、上記相違点２に係る本件発明１の「前記照明機器への
操作に基づく
ｂ　ここで、上記甲２技術について検討すると、甲２技術の「照明負荷11」は本件発明１の「照明機器」に相当し、以下同様に、「複数のフェーダ23を含む複数の操作部24」は「操作部」に、「別の調光操作卓」は「第２照明制御装置」にそれぞれ相当する。また、甲２技術の「調光操作卓13」は、その「調光操作卓本体21には、照明負荷11の調光レベルを調整するための複数のフェーダ23を含む複数の操作部24が設けられ」ているものであるから、「照明負荷11」を制御している装置といえるので、本件発明１の「第１照明制御装置」に相当する。
　しかしながら、甲２技術は、「調光操作卓13」の「フェーダ23」を操作することで作成した調光レベルのデータを「別の調光操作卓」に適用するものではなく、「別の調光操作卓」に適用するのは、「回路制御卓14」の「割付制御部32」の「調光操作卓13の各フェーダ23に対応して照明負荷11を割り付け、各フェーダ23に割り付けた割付情報」である。
　そうすると、甲１発明に甲２技術を適用したとしても、上記相違点２に係る本件発明１の「前記照明機器への操作に基づく操作情報」を「外部端末」に保存するものには至らない。
　仮に、甲２技術の「調光操作卓13」と「回路制御卓14」の両者を合わせたものが、本件発明１の「第１照明制御装置」に相当すると解釈したとしても、上記と同様に、「別の調光操作卓」に適用するのは、当該「割付情報」であるので、甲１発明に甲２技術を適用したとしても、上記と同様に、上記相違点２に係る本件発明１の「前記照明機器への操作に基づく操作情報」を「外部端末」に保存するものには至らない。
　以上のとおりであるから、甲１発明に甲２技術を適用したとしても、上記相違点２に係る本件発明１の事項を有するものには至らない。
ｃ　申立人は令和３年４月２８日付け意見書において、「回路制御卓１４は調光操作卓に相当する。」（３頁１８〜１９行）、及び「甲１発明において、甲２記載事項の割付情報を送信・受信することは、当業者にとって容易になし得ることである。その際、回路制御卓１４（調光制御卓）から調光制御卓１３に割付情報を直接送信する代わりに、回路制御卓１４（調光制御卓）からサーバーを介して調光制御卓１３に割付情報を送信することは、当業者であれば容易に想到し得たことである。」（４頁１〜５行）と主張する（なお、２つめのかっこ書きにおける「調光制御卓１３」は「調光操作卓１３」の誤記と認め、同様に「（調光制御卓）」も「（調光操作卓）」の誤記と認める。）。
　しかしながら、甲２において、「調光操作卓13」と「回路制御卓14」とは別の装置として記載されており（摘記（２ｂ）〜（２ｄ）参照。）、申立人がいうような「回路制御卓14」が「調光操作卓」に相当するという認定はできないし、そもそも上記ｂのとおり、本件発明１の「第１照明制御装置」に相当するのは、甲２技術の「調光操作卓13」であり、同様に、本件発明１の「第２照明制御装置」に相当するのは、甲２技術の「調光操作卓13」ではなく「別の調光操作卓」であるから、本件発明１の「第２照明制御装置」に相当するのは甲２技術の「調光操作卓13」であるかのような申立人の上記主張はその前提において失当である。また、甲２技術の「調光操作卓13」と「回路制御卓14」の両者を合わせたものが、本件発明１の「第１照明制御装置」に相当すると解釈したとしても、本件発明１の「第２照明制御装置」に相当するのは、甲２技術の「別の調光操作卓」であることに変わりはなく、甲２技術を甲１発明に適用したとしても、上記相違点２に係る本件発明１の事項を有するものには至らないことは、上記ｂで述べたとおりである。
　したがって、申立人の上記主張は採用できない。
ｄ　なお、取消理由通知において、請求項４、５に対し引用した甲３技術も、上記相違点２に係る本件発明１の事項を開示ないし示唆するものではない。
ｅ　よって、本件発明１は、甲１発明及び甲２技術に基いて、当業者が容易に発明をすることができたものであるということはできない。
（２）本件発明２〜５について
　本件発明２〜５は、本件発明１の発明特定事項を全て含み、請求項２〜５において特定した事項をさらに付加することにより限定をしたものであるから、上記（１）で示したのと同様の理由により、甲１発明、甲２技術、及び甲３技術に基いて、当業者が容易に発明をすることができたものであるということはできない。
第５−２　理由２について（特許法第３６条第６項第２号）
　本件訂正により、請求項３が引用する請求項１において、「照明制御装置」と「他の照明制御装置」を、それぞれ「第１照明制御装置」、「第２照明制御装置」と訂正し、それに合わせて請求項３において、「前記照明機器」を「当該第２照明制御装置と対応する照明機器」と訂正したので、各照明制御装置と照明機器との関係が明確となった。
　また、本件訂正により、請求項４においても「前記照明制御装置は、前記操作を行うユーザを認証し、認証後のユーザの前記操作を受け付け」を、「前記第１照明制御装置は、前記第１照明制御装置が有する操作部への操作を行うユーザを認証し、認証後のユーザによる前記第1照明制御装置が有する操作部への操作を受け付け」と訂正したので、各照明制御装置と操作部との関係が明確となり、請求項５においても「前記照明制御装置は、前記外部端末から前記認証後のユーザに対応する学習結果に関する情報を取得する」を、「前記第２照明制御装置は、前記外部端末から前記認証後のユーザに対応する学習結果に関する情報を取得する」と訂正したので、各照明制御装置と学習結果に関する情報を取得することの関係が明確となった。
　したがって、理由２により、本件発明３〜５に係る特許を取り消すことはできない。
第５−３　取消理由通知で採用しなかった異議申立理由について
　申立人は、本件発明１〜３は、甲１に記載された発明であるとして、特許法第２９条第１項第３号に該当する旨主張する。
　しかしながら、本件発明１と甲１発明との間には、上記「第５−１　２（１）ア（カ）」で述べた相違点が存在するのであるから、本件発明１は甲１発明であるとはいえない。本件発明１の発明特定事項を全て含み、請求項２〜３において特定した事項をさらに付加することにより限定をした本件発明２、３も同様である。
　したがって、かかる主張は採用できない。
第６　むすび
　以上のとおりであるから、本件発明１〜５に係る特許は、取消理由通知に記載した取消理由及び特許異議申立書に記載した特許異議申立理由によっては、取り消すことができない。
　また、他に本件発明１〜５に係る特許を取り消すべき理由を発見しない。
　よって、結論のとおり決定する。
【異議決定日】
令和３年８月１０日（２０２１．８．１０）
【訂正の要旨】
審決（決定）の【理由】欄参照。
（５４）【発明の名称】
照明システム
　【技術分野】
　【０００１】
　本発明の実施形態は、照明システムに関する。
　【背景技術】
　【０００２】
　従来、スタジオや舞台等では、複数の照明機器により照明演出がなされている。このような照明演出を行う照明システムでは、照明機器を制御する照明制御装置における操作に関する操作情報が照明制御装置に記憶される場合がある。
　【先行技術文献】
　【特許文献】
　【０００３】
　【特許文献１】特開２００７−２６５７６５号公報
　【特許文献２】特開２０１２−０６９４２３号公報
　【発明の概要】
　【発明が解決しようとする課題】
　【０００４】
　しかしながら、上述した照明システムにおいては、照明制御装置の制約等により、照明制御装置における操作情報を適切に管理することが難しいという課題がある。例えば、照明制御装置の記憶容量の制約により、十分な操作情報が記憶できない場合がある。
　【０００５】
　本発明は、照明制御装置における操作情報を適切に管理する照明システムを提供することを目的とする。
　【課題を解決するための手段】
　【０００６】
　本実施形態の照明システムは、
第１
、第２照明制御装置と
第１
と、第１照明制御装置の設定であって、当該操作が行われた際における照明機器に対する操作を受け付ける操作部と照明機器との対応を示す設定情報とを第１照明制御装置から受信し
第２照明制御装置は、外部端末から第１照明制御装置の設定情報を受信する。
　【発明の効果】
　【０００７】
　本発明によれば、照明制御装置における操作情報を適切に管理することができる。
　【図面の簡単な説明】
　【０００８】
　【図１】図１は、実施形態に係る照明システムを示す図である。
　【図２】図２は、実施形態に係る照明システムを示す図である。
　【図３】図３は、実施形態に係る照明制御装置の構成を示す図である。
　【図４】図４は、実施形態に係る操作部情報記憶部に記憶される情報の一例を示す図である。
　【図５】図５は、実施形態に係る調光情報記憶部に記憶される情報の一例を示す図である。
　【図６】図６は、実施形態に係るクラウドサーバの構成を示す図である。
　【図７】図７は、実施形態に係る操作履歴情報記憶部に記憶される情報の一例を示す図である。
　【図８】図８は、実施形態に係る照明機器の調光の再現の一例を示すシーケンス図である。
　【図９】図９は、変形例に係る照明システムを示す図である。
　【図１０】図１０は、変形例に係る照明制御装置の構成を示す図である。
　【図１１】図１１は、変形例に係るクラウドサーバの構成を示す図である。
　【図１２】図１２は、変形例に係る操作履歴情報記憶部に記憶される情報の一例を示す図である。
　【発明を実施するための形態】
　【０００９】
　以下で説明する実施形態及び変形例に係る照明システム１、１Ａは、照明機器１０を制御する照明制御装置３０、３０Ａと、照明制御装置３０、３０Ａにおける照明機器１０への操作に基づく操作情報を保存する外部サーバ（実施形態及び変形例においては「クラウドサーバ７０、７０Ａ」）とを具備する。
　【００１０】
　また、以下で説明する実施形態及び変形例に係る照明システム１、１Ａにおいて、外部サーバは、操作情報として、段階的な照明機器１０の状態の制御において操作される操作部への操作に関する情報を保存する。
　【００１１】
　また、以下で説明する実施形態及び変形例に係る照明システム１、１Ａにおいて、照明制御装置３０、３０Ａは、外部サーバから取得した操作情報に基づいて照明機器１０への操作を再現する。
　【００１２】
　また、以下で説明する変形例に係る照明システム１Ａにおいて、照明制御装置３０Ａは、操作を行うユーザを認証し、認証後のユーザの操作を受け付ける。外部サーバは、認証後のユーザ毎に操作情報を保存する。
　【００１３】
　また、以下で説明する変形例に係る照明システム１Ａにおいて、外部サーバは、認証後のユーザに操作情報に基づいて当該ユーザの操作に関する学習する。照明制御装置３０Ａは、外部サーバから認証後のユーザに対応する学習結果に関する情報を取得する。
　【００１４】
［実施形態］
　まず、本発明の実施形態に係る照明システム１を図面に基づいて説明する。図１及び図２は、実施形態に係る照明システムを示す図である。具体的には、図１では、照明システム１において、照明制御装置３０において所定の操作者ＯＰ１が行った操作に関する操作情報を収集し、外部サーバであるクラウドサーバ７０に保存する例を示す。また、図２は、照明システム１において、クラウドサーバ７０から操作履歴情報（以下、「履歴情報」とする）を取得した照明制御装置３０において、履歴情報に基づく調光を再現する例を示す。
　【００１５】
［照明システムの構成］
　照明システム１は、第１照明機器１０Ａと、第２照明機器１０Ｂと、ノード２０と、照明制御装置３０と、調光盤４０と、監視装置５０と、端末装置６０と、クラウドサーバ７０とを具備する。以下では、第１照明機器１０Ａと第２照明機器１０Ｂについて、特に区別なく説明する場合には、照明機器１０と記載する。
　【００１６】
　また、図１に示す照明システム１において、ノード２０と、照明制御装置３０と、調光盤４０と、監視装置５０とは、例えばイーサネット（登録商標）等による所定のネットワークＮＴ１により通信可能に接続されるものとする。なお、ネットワークＮＴ１は、照明システム１の導入先となるスタジオや劇場等の施設で使用されるＬＡＮ（ローカル・エリア・ネットワーク）であってもよいし、インターネットであってもよい。
　【００１７】
　第１照明機器１０Ａは、例えばＬＥＤ（Ｌｉｇｈｔ　Ｅｍｉｔｔｉｎｇ　Ｄｉｏｄｅｓ）等の半導体発光素子を光源とする照明機器１０である。例えば、第１照明機器１０Ａは、バトン（図示省略）等により所定の位置に吊り下げられたり、所定の位置に置かれたりして用いられる。また、例えば、第１照明機器１０Ａは、照明制御装置３０からノード２０を経由して送信される制御情報に従って、明るさ、範囲、色彩等を変化させることで、スタジオや舞台等の照明演出を行う。また、第１照明機器１０Ａは、所定の通信プロトコル、例えばＤＭＸ規格に従った通信プロトコルや、ＤＭＸを拡張したＲＤＭ（Ｒｅｍｏｔｅ　Ｄｅｖｉｃｅ　Ｍａｎａｇｅｍｅｎｔ）規格に沿った通信方式ＬＮ１により、ノード２０と双方向通信が可能である。
　【００１８】
　第２照明機器１０Ｂは、例えばハロゲンランプ等を光源とする照明機器１０である。例えば、第２照明機器１０Ｂは、バトン等により所定の位置に吊り下げられたり、所定の位置に置かれたりして用いられる。
　【００１９】
　ノード２０は、例えばＤＭＸノードやＲＤＭノードと称され、第１照明機器１０Ａを接続する装置である。すなわち、ノード２０は、所定の通信プロトコル、例えばＤＭＸ規格に従った通信プロトコルや、ＤＭＸを拡張したＲＤＭ規格に沿った通信方式により、第１照明機器１０Ａと双方向通信が可能である。また、ノード２０は、照明制御装置３０と双方向通信が可能である。また、ノード２０は、ＤＭＸ規格やＲＤＭ規格等に従って、照明制御装置３０から送信される制御情報を第１照明機器１０Ａに送信する。
　【００２０】
　照明制御装置３０は、各照明機器１０に対して制御を行う操作者による操作を受付ける。例えば、照明制御装置３０は、調光卓と称される装置である。照明制御装置３０は、操作者による操作等に応じて、各照明機器１０の調光等を制御する情報（信号）をノード２０や調光盤４０に送信する。
　【００２１】
　調光盤４０は、所定の送電ケーブルＬＮ２により第２照明機器１０Ｂに電力を供給する。また、調光盤４０は、位相制御式の調光制御方式により第２照明機器１０Ｂの調光を制御する。例えば、調光盤４０は、照明制御装置３０から制御内容を示す制御信号（又は、制御情報）を受信すると、制御信号（又は制御情報）に応じて、第２照明機器１０Ｂに供給する電源電圧を変動させることにより、第２照明機器１０Ｂの調光を制御する。例えば、調光盤４０は、照明制御装置３０から制御信報を受信すると、第２照明機器１０Ｂの調光レベルに応じて、各第２照明機器１０Ｂに印加する電圧を、例えば０Ｖ〜１００Ｖで調整して出力する。また、例えば、調光盤４０には各第２照明機器１０Ｂ用の位相制御式の調光器が設けられており、照明制御装置３０からの制御信号に応じた各調光器の制御により、各調光器に対応した第２照明機器１０Ｂが一括して調光制御されてもよい。
　【００２２】
　監視装置５０は、照明システム１の導入先に設けられ、ノード２０や照明制御装置３０や調光盤４０等の動作を監視する装置である。例えば、監視装置５０は、ノード２０や照明制御装置３０や調光盤４０の動作を監視してもよい。また、照明システム１の導入先における管理者等は、監視装置５０と所定のネットワークＮＴ２により通信可能な端末装置６０により、照明システム１の動作状況を確認してもよい。なお、ネットワークＮＴ１とネットワークＮＴ２とは共通のネットワークであってもよい。
　【００２３】
　クラウドサーバ７０は、照明システム１の導入先から遠隔にあるサービス提供者側の所定の地点に設けられる装置である。具体的には、クラウドサーバ７０は、照明制御装置３０における照明機器１０への操作に基づく操作情報を保存する外部サーバである。また、クラウドサーバ７０は、監視装置５０と所定のネットワークＮＴ３により双方向通信が可能である。例えば、ネットワークＮＴ３は、専用通信回線や仮想プライベートネットワーク（Ｖｉｒｔｕａｌ　Ｐｒｉｖａｔｅ　Ｎｅｔｗｏｒｋ）であってもよいし、インターネットであってもよい。また、クラウドサーバ７０は、監視装置５０が収集した情報を取得し保有する。クラウドサーバ７０は、管理端末８０Ａ、及びタブレット端末やスマートフォン等の携帯端末８０Ｂと所定のネットワークＮＴ４により通信可能である。また、サービス提供者側の管理者Ａ１は、管理端末８０Ａや携帯端末８０Ｂ等により、クラウドサーバ７０に収集された情報を確認し管理する。
　【００２４】
［照明システムにおける処理例］
　まず、図１を用いて照明システム１における照明機器１０の接続関係について説明する。図１に示すように、第１照明機器１０Ａは、電力供給のために用いるプラグＰＧ１１をコンセント装置ＪＣ１１の電力供給用のジャックＰＳ１１に接続する（ステップＳ１１）。これにより、第１照明機器１０Ａには、例えば商用電源ＣＰから電力が供給される。なお、第１照明機器１０Ａには、調光盤４０等から電力が供給されてもよい。また、第１照明機器１０Ａは、情報の送受信のために用いるプラグＰＧ１２をコンセント装置ＪＣ１１の情報送受信用のジャックＪＣ１１−１に接続する（ステップＳ１２）。これにより、第１照明機器１０Ａには、ノード２０を介して照明制御装置３０との情報の送受信が可能となる。
　【００２５】
　また、第２照明機器１０Ｂは、プラグＰＧ２１をコンセントＣＮ２０−１のジャックＪＣ２１に接続する（ステップＳ１３）。これにより、第２照明機器１０Ｂには、調光盤４０からの電源電圧が供給される。また、コンセントＣＮ２０−１は、ネットワークＮＴ１により照明制御装置３０と情報の送受信が可能であってもよい。例えば、コンセントＣＮ２０−１には、ＮＦＣタグの情報を読み出し可能なＮＦＣリーダライタが設けられてもよい。この場合、コンセントＣＮ２０−１のＮＦＣリーダライタは、プラグＰＧ２１に設けられたＮＦＣタグの情報を読み出して照明制御装置３０へ送信してもよい。なお、図１に示すステップＳ１１〜Ｓ１３は、説明のための順序であり、例えば、ステップＳ１３における第２照明機器１０Ｂの接続は、ステップＳ１１及びＳ１２における第１照明機器１０Ａの接続よりも前に行われてもよい。
　【００２６】
　また、照明制御装置３０は、操作者ＯＰ１による操作部３４（図３参照）への操作に応じて、ノード２０を経由して制御情報を第１照明機器１０Ａへ送信する（ステップＳ１４）。例えば、照明制御装置３０は、操作者ＯＰ１による操作部３４のフェーダ３４−１（図３参照）への操作に応じた制御情報を第１照明機器１０Ａへ送信する。ノード２０を経由して照明制御装置３０から制御情報を受信した第１照明機器１０Ａは、制御情報に従って、調光を制御する（ステップＳ１５）。具体的には、第１照明機器１０Ａは、制御情報に従って、明るさ、範囲、色彩等を変化させる。
　【００２７】
　また、照明制御装置３０は、操作者ＯＰ１による操作部３４への操作に応じて、調光盤４０へ第２照明機器１０Ｂを制御するための制御信号を送信する（ステップＳ１６）。例えば、照明制御装置３０は、操作者ＯＰ１による操作部３４のフェーダ３４−２（図３参照）への操作に応じた制御信号を調光盤４０へ送信する。照明制御装置３０から制御信号を受信した調光盤４０は、対応する第２照明機器１０Ｂへ電圧信号を送る（ステップＳ１７）。また、第２照明機器１０Ｂは、調光盤４０からの電圧信号により、調光を制御する（ステップＳ１８）。なお、図１に示すステップＳ１４〜Ｓ１７は、説明のための順序であり、例えば、ステップＳ１６における制御信号の送信は、ステップＳ１４における制御情報の送信よりも前に行われてもよい。
　【００２８】
　また、照明制御装置３０は、ステップＳ１４〜Ｓ１８において照明機器１０に行った調光制御に関する操作情報をクラウドサーバ７０へ送信する（ステップＳ１９）。例えば、照明制御装置３０は、操作部３４における操作に関するアナログのレベル値等の情報をクラウドサーバ７０へ送信する。なお、上記例においては説明のために、ステップＳ１９において、照明制御装置３０がクラウドサーバ７０へ操作情報を送信する場合を示すが、照明制御装置３０は、操作者ＯＰ１による操作部３４への操作が行わる度に、随時クラウドサーバ７０へ操作情報を送信してもよい。また、照明制御装置３０は、第１照明機器１０Ａや第２照明機器１０Ｂ（コンセントＣＮ２０−１）等から制御結果に関する情報を受信し、その情報も操作情報としてクラウドサーバ７０へ送信してもよい。
　【００２９】
　ここで、操作情報の内容としては、操作対象となったフェーダやサブマスタ（ＳＭ）等のレベル値、制御対象となる照明機器のＤＭＸアドレス、照明機器に設定された照度や色彩等、操作対象又は制御対象と関連する任意の情報が操作情報としてクラウドサーバ７０へ送信される。また、操作情報には、例えば、シーン、キュー（ＣＵＥ）、サブマスタ（ＳＭ）等、複数の照明装置を同時に制御するための情報が含まれていてもよい。例えば、照明制御装置３０は、操作者ＯＰ０１によって所定のシーンを再現するボタンが押下された場合は、かかるボタンを識別する情報、制御対象となる照明機器のＤＭＸアドレス、各照明機器に対して設定される照明の照度や色彩等を対応付けた調光情報を操作情報としてクラウドサーバ７０へ送信してもよい。また、照明制御装置３０は、操作者ＯＰ０１によってサブマスタフェーダが操作された場合は、サブマスタフェーダのレベル、制御対象となる照明機器のＤＭＸアドレス、各照明機器に対して設定される照明の照度や色彩等を対応付けた調光情報を操作情報としてクラウドサーバ７０へ送信してもよい。すなわち、照明制御装置３０は、シーンやキュー（ＣＵＥ）やサブマスタ（ＳＭ）等を操作した際に複数の照明機器を制御するための調光情報と、フェーダ等の操作対象を示す情報とともにクラウドサーバ７０へ送信してもよい。
　【００３０】
　照明制御装置３０から操作情報を受信したクラウドサーバ７０は、受信した操作情報を保存する（ステップＳ２０）。これにより、照明システム１は、クラウドサーバ７０に保存された操作情報を操作履歴情報（履歴情報）として読み出し可能となる。
　【００３１】
　次に、図２を用いて照明システム１における履歴情報に基づく調光の再現について説明する。図２に示すように、照明制御装置３０において、操作者ＯＰ１は、クラウドサーバ７０に履歴情報を要求する（ステップＳ２１）。図２の例では、操作者ＯＰ１は、クラウドサーバ７０にステップＳ１９において送信した操作情報（履歴情報）を要求するものとして、以下説明する。
　【００３２】
　照明制御装置３０から履歴情報の要求を受け付けたクラウドサーバ７０は、要求に対応する履歴情報を抽出する（ステップＳ２２）。例えば、クラウドサーバ７０は、ステップＳ２０で保存した履歴情報を、照明制御装置３０からの要求に対応する履歴情報として抽出する。その後、クラウドサーバ７０は、ステップＳ２２において抽出した履歴情報を照明制御装置３０へ送信する（ステップＳ２３）。
　【００３３】
　クラウドサーバ７０から送信された履歴情報を照明制御装置３０が受信した後、操作者ＯＰ１は、照明制御装置３０において操作を再現する（ステップＳ２４）。なお、ここでいう、操作の再現とは、受信した履歴情報を参照しつつ操作者ＯＰ１が操作部３４を操作することにより行われてもよいし、受信した履歴情報に基づいて照明制御装置３０が自動で行ってもよい。例えば、照明制御装置３０は、図１中のステップＳ１４〜Ｓ１８において照明機器１０に行った調光制御を再現することができる。
　【００３４】
　図２の例で、照明制御装置３０は、履歴情報に基づいて、ノード２０を経由して制御情報を第１照明機器１０Ａへ送信する（ステップＳ２５）。例えば、照明制御装置３０は、図１中のステップＳ１４における制御情報と同様の制御情報を第１照明機器１０Ａへ送信する。ノード２０を経由して照明制御装置３０から制御情報を受信した第１照明機器１０Ａは、制御情報に従って、調光を制御する（ステップＳ２６）。例えば、第１照明機器１０Ａは、図１中のステップＳ１５において行った調光制御と同様の調光制御を行うことにより、明るさ、範囲、色彩等を変化させる。
　【００３５】
　また、照明制御装置３０は、履歴情報に基づいて、調光盤４０へ第２照明機器１０Ｂを制御するための制御信号を送信する（ステップＳ２７）。例えば、照明制御装置３０は、図１中のステップＳ１６における制御信号と同様の制御信号を調光盤４０へ送信する。照明制御装置３０から制御信号を受信した調光盤４０は、対応する第２照明機器１０Ｂへ電圧信号を送る（ステップＳ２８）。また、第２照明機器１０Ｂは、調光盤４０からの電圧信号により、調光を制御する（ステップＳ２９）。例えば、第２照明機器１０Ｂは、図１中のステップＳ１８において行った調光制御と同様の調光制御を行うことにより、明るさ、範囲、色彩等を変化させる。
　【００３６】
　このように、照明制御装置３０は、照明機器１０に行った調光制御に関する操作情報をクラウドサーバ７０に保存し、保存した履歴情報をクラウドサーバ７０から取得することにより、過去に行った調光制御を再現することができる。照明システム１は、操作者ＯＰ１の操作情報を保存することにより、照明システム１において不具合等が発生した場合に、保存した操作情報を用いることにより、故障解析が容易になる。このように、照明システム１は、照明制御装置３０における操作情報を適切に管理することができる。
　【００３７】
　例えば、舞台やスタジオでの照明制御においては、複数の操作者ＯＰ０１が同一の照明制御を行おうとしても、各操作者ＯＰ０１の熟練度によりそれぞれ異なる雰囲気になりうる。また、操作者ＯＰ０１によっては、舞台やスタジオの状態に応じて、シーンやキューとして設定された照明態様をその場で、すなわちアドリブで編集する場合も考えられる。このため、シーン、キュー、もしくはマスタフェーダの設定のみでは、照明態様を正確に再現することが困難となる。そこで、情報制御装置３０は、照明機器の制御内容と共に操作部３４の操作内容を履歴情報としてクラウドサーバ７０に保持させ、クラウドサーバ７０が保持した履歴情報を用いて照明機器の制御を行うことで、照明態様の正確な再現を実現することができる。
　【００３８】
［照明制御装置の構成例］
　次に、図３を用いて、実施形態に係る照明制御装置３０の構成について説明する。図３は、実施形態に係る照明制御装置の構成を示す図である。図３に示すように、照明制御装置３０は、通信部３１と、記憶部３２と、表示部３３と、操作部３４と、制御部３５とを有する。
　【００３９】
　通信部３１は、照明機器１０やノード２０や調光盤４０や監視装置５０等との間の通信を制御する機能を有し、例えば、ＮＩＣ等により実現される。
　【００４０】
　記憶部３２は、例えば、ＲＡＭ（Ｒａｎｄｏｍ　Ａｃｃｅｓｓ　Ｍｅｍｏｒｙ）、フラッシュメモリ（Ｆｌａｓｈ　Ｍｅｍｏｒｙ）等の半導体メモリ素子、または、ハードディスク、光ディスク等の記憶装置によって実現される。実施形態に係る記憶部３２は、図３に示すように、操作部情報記憶部３２−１と、調光情報記憶部３２−２とを有する。
　【００４１】
　操作部情報記憶部３２−１には、操作部３４が有する複数のフェーダ３４−１〜３４−３等と制御アドレス（対象アドレス）との対応が記憶される。ここで、制御アドレスについて説明する。照明機器１０には、１つまたは複数の制御アドレスが予め設定されており、その制御アドレスを用いた制御に従って、照度、照明する光の色彩、照明する向き等の制御対象を変更する。すなわち、照明機器１０には、制御対象のそれぞれに対して異なる制御アドレスが設定されており、自装置に設定された制御アドレスを示す制御信号を受信した場合は、その制御アドレスが示す制御対象を、受信した制御信号に従って制御態様を変更する。なお、照明機器１０の制御対象としては、赤、青、緑、シアン、白（Ｒ：Ｒｅｄ，Ｇ：Ｇｒｅｅｎ，Ｂ：Ｂｌｕｅ，Ｃ：Ｃｙａｎ，Ｗ：Ｗｈｙｔｅ）といった照明する光の色彩や、照度（Ｉｎｔｅｎｓｉｔｙ）、照明する位置や照明装置１０自体の位置を移動させる移動（Ｍｏｖｉｎｇ）等が採用される。各制御アドレスに対応するフェーダ３４−１〜３４−３等は、照明機器１０の制御対象に対応付けられる。
　【００４２】
　例えば、図４は、実施形態に係る操作部情報記憶部に記憶された情報の一例を示す図である。図４に示す例では、操作部情報記憶部３２−１には、各フェーダ３４−１〜３４−３を識別する操作部ＩＤと制御アドレスとが対応付けて登録されている。例えば、図４に示す例では、各操作部ＩＤ「３４−１」〜「３４−２」等に制御アドレス「ＡＤ１」〜「ＡＤ２」等が対応付けて登録されている。
　【００４３】
　なお、図４に示す例では、対応付けられた操作部ＩＤと制御アドレスとに異なる値が設定されていたが、実施形態はこれに限定されるものではない。例えば、１つの操作部ＩＤに対して複数の制御アドレスを対応付けることにより、複数の制御アドレスに対して共通の制御信号を与えてもよい。このような対応付けを行った場合は、例えば、一つのフェーダにより複数の照明機器１０を同時に制御することができる。
　【００４４】
　また、調光情報記憶部３２−２には、例えばシーンやキュー（ＣＵＥ）やサブマスタ（ＳＭ）等と称される調光情報が記憶される。例えば、図５は、実施形態に係る調光情報記憶部に記憶される情報の一例を示す図である。図５に示す例では、調光情報記憶部３２−２には、各調光情報を識別する調光ＩＤと対応する調光情報において制御される照明機器１０の制御対象に対応する制御アドレス等が記憶されている。なお、図５では、図示することは省略するが、調光情報には、照明機器１０の制御対象に対する具体的な制御内容を示す情報が含まれる。例えば、調光情報には、制御アドレス「ＡＤ１」に対応付けられた照明機器１０の制御対象を出力５０％にすることや、照明する光の色彩を示す色情報、色をどのように変化させること等、照明機器１０に対して設定する各種の情報が含まれる。
　【００４５】
　図３に戻り説明を続ける。表示部３３は、例えば、液晶モニタ等により実現され、各種情報を表示する。表示部３３は、後述する制御部３５による制御に従い、照明制御装置３０が収集した情報を表示する。
　【００４６】
　操作部３４は、各照明機器１０に対する操作を受付けるものである。例えば、複数のフェーダ３４−１〜３４−３等を有する。各フェーダ３４−１〜３４−３等は、例えば各照明機器１０の照度、色彩、照明する向き、動き等の操作を受付けるスライダである。なお、操作部３４はタッチパネル等を利用して構成することもできる。また、操作部３４は、各調光情報を対応付けるボタンやスイッチ等を有してもよい。
　【００４７】
　制御部３５は、各種の処理手順などを規定したプログラム及び所要データを記憶するための内部メモリを有し、これらによって種々の処理を実行するが、特に本発明に密接に関連するものとしては、受信部３５−１、送信部３５−２、及び操作制御部３５−３を有する。
　【００４８】
　受信部３５−１は、外部からの各種情報を受信する。例えば、受信部３５−１は、クラウドサーバ７０から履歴情報を受信する。また、例えば、受信部３５−１は、第１照明機器１０Ａから機器情報を受信してもよい。
　【００４９】
　送信部３５−２は、各種情報を送信する。例えば、送信部３５−２は、第１照明機器１０Ａに制御情報を送信する。また、例えば、送信部３５−２は、調光盤４０に制御信号を送信する。また、送信部３５−２は、クラウドサーバ７０へ操作情報を送信する。
　【００５０】
　操作制御部３５−３は、操作者ＯＰ１がフェーダ３４−１〜３４−３等を操作した場合、操作されたフェーダ３４−１〜３４−３等の操作部ＩＤと対応する制御アドレス（対象アドレス）を操作部情報記憶部３２−１から取得し、取得した制御アドレスを含む制御情報を出力することで、操作されたフェーダ３４−１〜３４−３等と対応する照明機器１０の制御を行う。
　【００５１】
　例えば、操作制御部３５−３は、フェーダＩＤ「３４−１」であるフェーダ３４−１を操作者ＯＰ１が操作した場合は、フェーダＩＤ「３４−１」と対応付けられた制御アドレス「ＡＤ１」に対応する照明機器１０の制御対象が操作される。
　【００５２】
［クラウドサーバの構成例］
　次に、図６を用いて、実施形態に係るクラウドサーバ７０の構成について説明する。図６は、実施形態に係るクラウドサーバの構成を示す図である。図６に示すように、クラウドサーバ７０は、通信部７１と、記憶部７２と、制御部７３とを有する。
　【００５３】
　通信部７１は、照明システム１における導入先の各装置（例えば照明制御装置３０や監視装置５０等）との間の通信を制御する機能を有し、例えば、ＮＩＣ等により実現される。
　【００５４】
　記憶部７２は、例えば、ＲＡＭ、フラッシュメモリ等の半導体メモリ素子、または、ハードディスク、光ディスク等の記憶装置によって実現される。実施形態に係る記憶部７２は、図６に示すように、操作履歴情報記憶部７２−１を有する。
　【００５５】
　操作履歴情報記憶部７２−１には、照明システム１の照明制御装置３０において行われた調光制御に関する操作情報が記憶される。
　【００５６】
　例えば、図７は、実施形態に係る操作履歴情報記憶部に記憶された情報の一例を示す図である。図７に示す例では、操作履歴情報記憶部７２−１には、履歴ＩＤと操作情報とが対応付けて登録されている。履歴ＩＤは、取得した操作情報を識別するための情報である。例えば、図７に示す例では、各履歴ＩＤ「ＬＧ１」〜「ＬＧ２」等の各々に操作情報が対応付けられて、履歴情報として登録されている。例えば、図７に示す例では、履歴情報には、操作対象や操作開始時刻等の情報が含まれる。
　【００５７】
　例えば、履歴ＩＤ「ＬＧ１」により識別される履歴情報には、操作開始時刻「Ｔ１」に調光情報「Ｍ１」による調光制御（例えば、図５に示した調光ＩＤ「Ｍ１」と対応する調光情報による制御）が開始されたことや、操作開始時刻「Ｔ２」に制御アドレス「ＡＤ１」に対応付けられた照明機器１０の制御対象に対する調光制御が開始されたことを示す履歴情報が含まれる。なお、図７では、図示することは省略するが、履歴情報には、照明制御装置３０から取得した情報であればどのような情報が含まれてもよい。例えば、履歴情報には、照明機器１０の制御対象に対する具体的な制御内容を示す情報が含まれる。例えば、履歴情報には、制御アドレス「ＡＤ１」に対応付けられた照明機器１０の制御対象を出力５０％にすることや、色を変化させること等を示す情報が含まれてもよい。
　【００５８】
　図６に戻り説明を続ける。制御部７３は、各種の処理手順などを規定したプログラム及び所要データを記憶するための内部メモリを有し、これらによって種々の処理を実行するが、特に本発明に密接に関連するものとしては、受信部７３−１、抽出部７３−２、及び送信部７３−３を有する。
　【００５９】
　受信部７３−１は、外部からの各種情報を受信する。例えば、受信部７３−１は、照明制御装置３０から操作情報を受信する。また、例えば、受信部７３−１は、受信した操作情報を操作履歴情報記憶部７２−１に記憶する。また、受信部７３−１は、照明制御装置３０から履歴情報の要求を受信する。
　【００６０】
　抽出部７３−２は、受信部７３−１が受信した要求に応じて、操作履歴情報記憶部７２−１から履歴情報を抽出する。例えば、抽出部７３−２は、要求に対応する履歴ＩＤに基づいて、操作履歴情報記憶部７２−１から履歴情報を抽出する。例えば、抽出部７３−２は、日付が指定された要求に応じて、対応する日付の操作開始時の操作が含まれる履歴情報を操作履歴情報記憶部７２−１から抽出する。
　【００６１】
　送信部７３−３は、各種情報を送信する。例えば、送信部７３−３は、抽出部７３−２により抽出された履歴情報を照明制御装置３０へ送信する。
　【００６２】
［照明機器の調光の再現］
　次に、照明機器の調光の再現の一例を示す図である。図８は、実施形態に係る照明機器の調光の再現の一例を示すシーケンス図である。
　【００６３】
　まず、照明制御装置３０において操作者ＯＰ１は、照明機器１０の調光を操作する（ステップＳ１０１）。例えば、操作者ＯＰ１は、照明制御装置３０における操作部３４のフェーダ３４−１〜３４−３等を操作することにより、照明機器１０の調光を制御する。
　【００６４】
　その後、照明制御装置３０は、操作情報をクラウドサーバ７０へ送信する（ステップＳ１０２）。例えば、照明制御装置３０は、操作者ＯＰ１による指示に応じて操作情報をクラウドサーバ７０へ送信する。
　【００６５】
　操作情報を受信したクラウドサーバ７０は、操作情報を履歴情報として保存する（ステップＳ１０３）。例えば、クラウドサーバ７０は、受信した操作情報を履歴情報として操作履歴情報記憶部７２−１に記憶する。
　【００６６】
　その後、照明制御装置３０は、情報の要求をクラウドサーバ７０へ送信する（ステップＳ１０４）。例えば、照明制御装置３０は、操作者ＯＰ１による指示に応じてクラウドサーバ７０へステップＳ１０２において送信した操作情報に対応する履歴情報の要求を送信する。
　【００６７】
　情報の要求を受信したクラウドサーバ７０は、要求に応じた履歴情報を抽出し、抽出した履歴情報を照明制御装置３０へ送信する（ステップＳ１０５）。例えば、クラウドサーバ７０は、ステップＳ１０３において保存した履歴情報を照明制御装置３０へ送信する。
　【００６８】
　履歴情報を受信した照明制御装置３０は、受信した履歴情報に基づいて照明機器１０の調光を再現する（ステップＳ１０６）。例えば、照明制御装置３０は、ステップＳ１０１において行われた調光制御を再現する。
　【００６９】
［変形例］
　なお、照明システムは、操作者を認証する機能を有してもよい。この点について、図９〜図１２を用いて説明する。なお、実施形態と同一部分には、同一符号を付して説明を省略する。具体的には、図９では、照明システム１Ａにおいて、所定の操作者ＯＰ１が照明制御装置３０Ａ−１において行った操作に関する操作情報を、他の照明制御装置３０Ａ−３において利用する例を示す。
　【００７０】
［照明システムの構成］
　照明システム１Ａは、複数の照明制御装置３０Ａ−１〜３０Ａ−３等とクラウドサーバ７０Ａとを具備する。以下では、照明制御装置３０Ａ−１〜３０Ａ−３等について、特に区別なく説明する場合には、照明制御装置３０Ａと記載する。なお、照明システム１Ａは、照明制御装置３０Ａに対応する照明機器やノード２０や調光盤４０や監視装置５０や端末装置６０等を具備するが、図示を省略する。
　【００７１】
　照明制御装置３０Ａは、操作者の認証を受け付ける。また、照明制御装置３０Ａは、各照明機器１０に対して制御を行う操作者による操作を受付ける。例えば、照明制御装置３０Ａは、調光卓と称される装置である。照明制御装置３０Ａは、操作者による操作等に応じて、各照明機器１０の調光等を制御する情報（信号）をノード２０や調光盤４０に送信する。
　【００７２】
　また、照明制御装置３０Ａ−１は、クラウドサーバ７０Ａと所定のネットワークＮＴ１１により双方向通信が可能である。また、照明制御装置３０Ａ−２は、クラウドサーバ７０Ａと所定のネットワークＮＴ１２により双方向通信が可能である。また、照明制御装置３０Ａ−３は、クラウドサーバ７０Ａと所定のネットワークＮＴ１３により双方向通信が可能である。例えば、ネットワークＮＴ１１〜ＮＴ１３は、専用通信回線や仮想プライベートネットワーク（Ｖｉｒｔｕａｌ　Ｐｒｉｖａｔｅ　Ｎｅｔｗｏｒｋ）であってもよいし、インターネットであってもよい。また、各照明制御装置３０Ａは、同じ導入先において使用される照明制御装置３０Ａであってもよいし、異なる導入先において使用される照明制御装置３０Ａであってもよい。例えば、照明制御装置３０Ａ−１〜３０Ａ−３が同じ導入先において使用される場合、ネットワークＮＴ１１〜ＮＴ１３は共通のネットワークであってもよい。
　【００７３】
　クラウドサーバ７０Ａは、照明システム１Ａの導入先から遠隔にあるサービス提供者側の所定の地点に設けられる装置である。具体的には、クラウドサーバ７０Ａは、照明制御装置３０Ａにおける照明機器１０への操作に基づく操作情報を保存する外部サーバである。
　【００７４】
［照明システムにおける処理例］
　まず、操作者ＯＰ１は、照明制御装置３０Ａ−１において操作者に関する認証（以下、「操作者認証」とする場合がある）を受ける（ステップＳ３１）。これにより、照明制御装置３０Ａ−１は、入力される操作を操作者ＯＰ１の操作として受け付ける。なお、操作者認証は、例えば、パスワードを入力することにより行われてもよいし、指紋等の所定の生体情報に基づいて行われてもよい。
　【００７５】
　その後、照明制御装置３０Ａ−１は、操作者ＯＰ１が行った操作情報（以下、「操作情報ＬＧ１１」とする）をネットワークＮＴ１１を経由して、クラウドサーバ７０Ａへ送信する（ステップＳ３２）。このとき、照明制御装置３０Ａ−１は、操作情報ＬＧ１１に関する操作を行った操作者が操作者ＯＰ１であることを示す情報も送信する。
　【００７６】
　照明制御装置３０Ａ−１から操作情報を受信したクラウドサーバ７０Ａは、受信した操作情報を保存する（ステップＳ３３）。例えば、クラウドサーバ７０Ａは、操作情報ＬＧ１１を操作者ＯＰ１が行った操作に関する情報として保存する。これにより、照明システム１Ａは、クラウドサーバ７０Ａに保存された操作履歴情報（履歴情報）を操作者ＯＰ１が行った操作に関する情報として読み出し可能となる。
　【００７７】
　ここから、操作者ＯＰ１が照明制御装置３０Ａ−１から他の照明制御装置３０Ａへ移動した場合を例に以下説明する。操作者ＯＰ１は照明制御装置３０Ａ−１から照明制御装置３０Ａ−３へ移動する（ステップＳ３４）。
　【００７８】
　そして、操作者ＯＰ１は、照明制御装置３０Ａ−３において操作者認証を受ける（ステップＳ３５）。これにより、照明制御装置３０Ａ−３は、入力される操作を操作者ＯＰ１の操作として受け付ける。
　【００７９】
　その後、照明制御装置３０Ａ−３は、ネットワークＮＴ１３を経由して、操作者ＯＰ１が行った操作に関する操作情報（履歴情報）を要求する（ステップＳ３６）。図９では、照明制御装置３０Ａ−３は、操作者ＯＰ１が照明制御装置３０Ａ−１において行った操作に関する操作情報ＬＧ１１を要求する。例えば、照明制御装置３０Ａ−３は、操作者ＯＰ１による指示に応じて、操作者ＯＰ１が行った操作に関する操作情報（履歴情報）を要求する。
　【００８０】
　照明制御装置３０Ａ−３から操作情報（履歴情報）の要求を受け付けたクラウドサーバ７０Ａは、要求に対応する操作情報（履歴情報）を抽出する（ステップＳ３７）。例えば、クラウドサーバ７０Ａは、ステップＳ３３で保存した操作情報ＬＧ１１を、照明制御装置３０Ａ−３からの要求に対応する操作情報（履歴情報）として抽出する。その後、クラウドサーバ７０Ａは、ステップＳ３７において抽出した履歴情報を照明制御装置３０Ａ−３へ送信する（ステップＳ３８）。
　【００８１】
　クラウドサーバ７０Ａから送信された操作情報ＬＧ１１を照明制御装置３０Ａ−３が受信した後、操作者ＯＰ１は、照明制御装置３０Ａ−３において操作を再現する（ステップＳ３９）。
　【００８２】
　このように、照明システム１Ａにおいては、各照明制御装置３０Ａは、操作者の認証機能を有する。これにより、各照明制御装置３０Ａは、操作を行った操作者を判別可能となる。また、各照明制御装置３０Ａは、操作者ＯＰ１が照明機器１０に行った調光制御に関する操作情報を操作者ＯＰ１と対応付けてクラウドサーバ７０Ａに保存する。これにより、照明システム１Ａにおける操作者ＯＰ１は、使用する照明制御装置３０Ａにおいてクラウドサーバ７０から操作情報（履歴情報）を取得することにより、他の照明制御装置３０Ａにおいて過去に行った調光制御を再現することができる。
　【００８３】
　なお、照明システム１Ａは、操作者ＯＰ０１が照明制御装置３０Ａ−１に対して行った各種の設定を履歴情報としてクラウドサーバ７０Ａに保持させてもよい。例えば、照明システム１Ａは、操作者ＯＰ０１がどのフェーダにどのＤＭＸアドレスを対応付けたか、どのフェーダにどの照明機器を対応付けたか、どのマスタフェーダにどの照明機器を対応付けたか、どのようなキュー又はシーンを設定したか等をクラウドサーバ７０Ａに保持させてもよい。このような情報をクラウドサーバ７０Ａに保持させた場合、照明システム１Ａは、照明制御装置３０Ａ−１と同様の設定内容を照明制御装置３０Ａ−３に履歴情報として送信し、照明制御装置３０Ａ−３に設定を反映させる。この結果、操作者ＯＰ０１は、移動先となるスタジオや舞台で設定を再度行わずとも、移動元となるスタジオや舞台と同様の操作により、照明態様を再現することができる。
　【００８４】
　また、照明システム１Ａは、操作情報と操作を行った操作者とを対応付けて保存することにより、照明システム１Ａにおいて不具合等が発生した場合に、どの操作者の操作が不具合等の原因かの判別が容易になる。すなわち、照明システム１Ａは、照明制御装置３０における操作情報を適切に管理することができる。なお、操作者と対応付けてクラウドサーバ７０Ａに保存する情報は、操作情報に限らず、目的に応じて種々の情報であってもよい。例えば、操作者と対応付けてクラウドサーバ７０Ａに保存する情報は、フェーダ３４−１〜３４−３等への制御アドレスの割当て等の情報であってもよい。
　【００８５】
　また、クラウドサーバ７０Ａは、操作情報と操作を行った操作者とを対応付けに基づいて、認証後のユーザに操作情報に基づいてユーザの操作に関する学習を行ってもよい。例えば、クラウドサーバ７０Ａは、認証後のユーザに操作情報に基づいて、ユーザの操作に適した操作部３４への制御アドレス等の割当に関する学習を行ってもよい。また、各照明制御装置３０Ａは、クラウドサーバ７０Ａから認証後のユーザに対応する学習結果に関する情報を取得してもよい。これにより、各照明制御装置３０Ａは、クラウドサーバ７０Ａにおける学習結果に基づいて、ユーザに適した設定を行うことが可能となる。
　【００８６】
［照明制御装置の構成例］
　次に、図１０を用いて、変形例に係る照明制御装置３０Ａの構成について説明する。図１０は、変形例に係る照明制御装置の構成を示す図である。図１０に示すように、照明制御装置３０Ａは、通信部３１と、記憶部３２と、表示部３３と、操作部３４と、制御部３５とを有する。変形例に係る照明制御装置３０Ａは、制御部３５に認証部３５−４を有する点において、照明制御装置３０と相違する。
　【００８７】
　認証部３５−３は、照明制御装置３０Ａを利用する操作者を認証する。例えば、認証部３５−３は、パスワードや指紋等の所定の生体情報により照明制御装置３０Ａを利用する操作者を認証する。例えば、認証部３５−３がパスワードにより操作者を認証する場合、照明制御装置３０Ａは、記憶部３２に各操作者に対応するパスワードを記憶してもよい。なお、照明システム１Ａが、ネットワークＮＴ１１〜ＮＴ１３等を経由してクラウドサーバ７０Ａにおいて操作者の認証を行う場合、照明制御装置３０Ａは、認証部３５−３を有しなくてもよい。
　【００８８】
［クラウドサーバの構成例］
　次に、図１１を用いて、変形例に係るクラウドサーバ７０Ａの構成について説明する。図１１は、変形例に係るクラウドサーバの構成を示す図である。図１１に示すように、クラウドサーバ７０Ａは、通信部７１と、記憶部７２と、制御部７３とを有する。変形例に係るクラウドサーバ７０Ａは、記憶部７２の操作履歴情報記憶部７２−１Ａに操作者に関する情報を記憶する点において、クラウドサーバ７０と相違する。
　【００８９】
　変形例に係る記憶部７２は、操作履歴情報記憶部７２−１Ａを有する。操作履歴情報記憶部７２−１Ａには、照明システム１Ａの照明制御装置３０Ａにおいて行われた調光制御に関する操作情報がその操作を行った操作者と対応付けて記憶される。
　【００９０】
　例えば、図１２は、変形例に係る操作履歴情報記憶部に記憶された情報の一例を示す図である。図１２に示す例では、操作履歴情報記憶部７２−１Ａには、履歴ＩＤと操作情報とが対応付けて登録されている。履歴ＩＤは、取得した操作情報を識別するための情報である。例えば、図１２に示す例では、各履歴ＩＤ「ＬＧ１１」〜「ＬＧ１２」等の各々に操作情報が対応付けられて、履歴情報として登録されている。例えば、図１２に示す例では、履歴情報には、操作対象や操作開始時刻等の情報が含まれる。例えば、履歴ＩＤ「ＬＧ１１」により識別される履歴情報に関する操作は、操作者ＩＤ「ＯＰ１」により識別される操作者により行われたことを示す。このように、操作履歴情報記憶部７２−１Ａには、履歴情報が対応する操作を行った操作者に対応付けて記憶される。
　【００９１】
　本発明の実施形態及び変形例を説明したが、これらの実施形態及び変形例は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態や変形例は、発明の範囲や要旨に含まれると同様に、特許請求の範囲に記載された発明とその均等の範囲に含まれるものである。また、この実施形態や変形例は、処理内容を矛盾させない範囲で適宜組み合わせることが可能である。
　【符号の説明】
　【００９２】
　１　　　　照明システム
　１０Ａ　　第１照明機器
　１０Ｂ　　第２照明機器
　２０　　　ノード
　３０　　　照明制御装置
　４０　　　調光盤
　５０　　　監視装置
　６０　　　端末装置
　７０　　　クラウドサーバ（外部サーバ）
　８０Ａ　　管理端末
　８０Ｂ　　携帯端末
（５７）【特許請求の範囲】
　【請求項１】
　照明機器を制御する
第１
　前記
第１
第１
であって、当該操作が行われた際における前記照明機器に対する操作を受け付ける操作部と前記照明機器との対応を示す設定
前記第１照明制御装置から受信し
　前記外部端末から前記
第１
第２
　を具備することを特徴とする照明システム。
　【請求項２】
　前記外部端末は、前記操作情報として、段階的な前記照明機器の状態の制御において操作される操作部への操作に関する情報を保存する
　ことを特徴とする請求項１に記載の照明システム。
　【請求項３】
　前記
第２
前記操作情報を受信し、受信
と、前記設定情報と
、前記第１照明制御装置による
、当該第２照明制御装置と対応する照明機器に対して
　ことを特徴とする請求項１または請求項２に記載の照明システム。
　【請求項４】
　前記
第１
第１照明制御装置が有する操作部への
による
第１照明制御装置が有する操作部への
　前記外部端末は、前記認証後のユーザ毎に前記操作情報を保存する
　ことを特徴とする請求項１〜３のいずれか１項に記載の照明システム。
　【請求項５】
　前記外部端末は、前記認証後のユーザ
による操作の履歴を示す
特徴を
　前記
第２
　ことを特徴とする請求項４に記載の照明システム。